(57)【要約】【課題】小型で処理能力が大きく、空き瓶など割れ易いものの処理が可能で、種々雑多な材料・形状のものを処理できる破・除袋を提供する。【解決手段】廃棄物を包んだ袋を破り除去する装置において、投入された袋入り廃棄物Ｚの案内板１２ａに複数条のスリット１５を設け、そのスリット１５を設けた案内板の外側からスリット１５を通り抜けて廃棄物の流れに逆らい、又は準じて回転し、かつ回転方向に付勢されながら逆方向に揺動可能の鉤形回転刃１３を配設したものである。【選択図】図１
2008043934.tif 000002
【特許請求の範囲】
【請求項１】
廃棄物を包んだ袋を破り除去する装置において、投入された袋入り廃棄物（Ｚ）の案内板（１２ａ）に複数条のスリット（１５）を設け、そのスリット（１５）を設けた案内板の外側からスリット（１５）を通り抜けて廃棄物の流れに逆らい、又は準じて回転し、かつ回転方向に付勢されながら逆方向に揺動可能の鉤形回転刃（１３）を配設したことを特徴とする破袋・除袋機
【請求項２】
上記鉤形回転刃（１３）に対向する位置に支軸（２３）を設け、この支軸（２３）にブラケット（２４）を揺動可能に取付け、このブラケット（２４）の揺動端に鉤形固定刃（２５）を取付け、作用端に付勢手段（２６）により、上記鉤形固定刃（２５）を上記鉤形回転刃（１３）に向けて付勢してなることを特徴とする請求項１に記載の破袋・除袋機
【請求項３】
上記鉤形回転刃（１３）に対向する位置に支軸（２３ｂ）を設け、この支軸（２３ｂ）に、上記鉤形回転刃（１３）に向けて延びる鉤形固定刃（２５）を付設し、カウンターウェイト（３２）によって上記鉤形固定刃（２５）を鉤形回転刃（１３）に向けて付勢してなることを特徴とする請求項１に記載の破袋・除袋機。
【請求項４】
鉤形回転刃（１３）を設けてない案内板（１２ｅ）を上流側と下流側に二分し、上記上流側の案内板（１２ｅ）にスリット（１５）を設け、その案内板の外側から鉤形固定刃（２５）を、上記スリット（１５）を通り抜けるように配設し、その上流側の案内板の対向位置に廃棄物強制送り込み手段を設け、上記下流側の案内板を、その上端を軸にして揺動可能にしてなることを特徴とする請求項１に記載の破袋・除袋機。
【発明の詳細な説明】
【技術分野】
【０００１】  この発明は、収集された廃棄物を包んでいるプラスチック袋を破りさるための破袋・除袋機に関する。
【背景技術】
【０００２】  一般的なゴミ袋はポリエチレンを材料とするもので、その中に入っているゴミは、種々雑多なものが詰め込まれており、そのままでは燃えるもの、燃えないもの、あるいは燃やすと有害ガスが発生するもの、爆発するもの、焼却炉を損傷させるもの、あるいはリサイクル可能なものなどが混ざっているため焼却する前にゴミの分別をする必要がある。【０００３】  本出願人は、ゴミ袋を破って除去する「破袋・除袋機」を特願２００６−９２２７６号で提案した。【０００４】  上記提案によって従来の破袋・除袋機に較べ多くの効果を得ることができたが、その後の需要家から、さらに厳しい条件下でも破・除袋できるものを提供するようにとの要求が出されるようになった。
【発明の開示】
【発明が解決しようとする課題】
【０００５】  ここで新たに出されてきた需要家からの要求を纏めると、より一層小型で処理能力を上げること、空き瓶を中心とする廃棄物の処理を可能にすること、いろいろな形状のものが混在しているものの処理を可能にすることがなどで、上記需要家の要求を解決することを課題とする。
【課題を解決するための手段】
【０００６】  上記課題を解決するためにこの発明は、＜１＞廃棄物を包んだ袋を破り除去する装置において、投入された袋入り廃棄物Ｚの案内板１２ａに複数条のスリット１５を設け、そのスリット１５を設けた案内板の外側からスリット１５を通り抜けて廃棄物の流れに逆らい、又は準じて回転し、かつ回転方向に付勢されながら逆方向に揺動可能の鉤形回転刃１３を配設してなるもので、＜２＞上記鉤形回転刃１３に対向する位置に支軸２３を設け、この支軸２３にブラケット２４を揺動可能に取付け、このブラケット２４の揺動端に鉤形固定刃２５を取付け、作用端に付勢手段２６により、上記鉤形固定刃２５を上記鉤形回転刃１３に向けて付勢してなる。＜３＞上記鉤形回転刃１３に対向する位置に支軸２３ｂを設け、この支軸２３ｂに、上記鉤形回転刃１３に向けて延びる鉤形固定刃２５を付設し、カウンターウェイト３２によって上記鉤形固定刃２５を鉤形回転刃１３に向けて付勢してなる。＜４＞鉤形回転刃１３を設けてない案内板１２ｅを上流側と下流側に二分し、上記上流側の案内板１２ｅにスリット１５を設け、その案内板の外側から鉤形固定刃２５を、上記スリット１５を通り抜けるように配設し、その上流側の案内板の対向位置に廃棄物強制送り込み手段を設け、上記下流側の案内板を、その上端を軸にして揺動可能にしてなる。
【発明の効果】
【０００７】  上記のごとく構成するこの発明によれば、破袋・除袋機が一層小型で処理能力を上げることが可能になり、空き瓶などの割れ易い廃棄物を包んだものの破・除袋処理がスムーズに行い得るようになり、種々雑多の形状のものが混在しているものの処理も可能となった。
【発明を実施するための最良の形態】
【０００８】  次にこの発明の実施の形態を、図面を参照しながら説明する。
【実施例１】
【０００９】  図１は、実施例１の部分切り欠き正面図で、前段のコンベヤ１１の終端に本発明の破袋・除袋機１０が据え付けられており、コンベヤ１１から排出されたポリエチレン等の袋入り廃棄物Ｚ（以下単に「袋入り廃棄物」という）は本発明の実施例１の破袋・除袋機に投入される。【００１０】  破袋・除袋機１０は、ホッパ１２の左側案内板１２ａの下端は鉤形回転刃１３を取付けているドラム状枠体１４に沿うように湾曲し、その部分に鉤形回転刃１３の刃先が通り抜けるスリットが空けられており、ホッパ１２の右側案内板１２ｂは左側案内板１２ａに対向して配置されてホッパ１２の開口部を形成している。【００１１】  鉤形回転刃１３は、その基部が上記ドラム状枠体１４に支持台１７の軸１８および規制子１９でもって一定範囲内で揺動可能に軸支され、鉤形回転刃１３の刃先は上記ホッパ１２に空けたスリット１５を通り抜けて回転する。上記ドラム状枠体１４の中心軸２０は軸受け２１（図３の参照）に支承され公知の駆動源と伝達手段により回転する。【００１２】  投入された袋入り廃棄物Ｚの袋は、ホッパ１２を通過する間に鉤形回転刃１３によって引き裂かれ、上記スリット１５を経てホッパ１２の外に掻き出される。なお、ここでは鉤形回転刃は時計方向に曲げ、同方向に回転させているが、反時計方向に曲げ、同方向に回転させるようにすることもできる。
【実施例２】
【００１３】  図２および図３は実施例２に係り、ビンなど割れ易い物を包んだ廃棄物の処理に適したもので、廃棄物は、図面の右上から左下に向けて傾斜した案内板１２ｃをもつ通路を通過し、上記案内板１２ｃには複数のスリット１５が空けられ、案内板１２ｃの下側に鉤形回転刃１３が実施例１と同様にドラム状枠体１４に取付けられて、上記スリット１５を通り抜けて回転する。【００１４】  廃棄物の通路２２の上部には支軸２３によりブラケット２４が支承され、そのブラケット２４の揺動端には鉤形固定刃２５が取付けられ、その作用端にはスプリング２６が調整ネジ２７を介して取付けられている。なお、ブラケット２４には揺動範囲を規制するストッパ２８が設けられている。【００１５】  鉤形回転刃１３は、回転軸２９に軸支されたドラム状枠体１４に取付けられた支持台１７にトーションスプリング３０を介して揺動可能、かつ回転方向に付勢されて取付けられている。
【実施例３】
【００１６】  図４は実施例３に係り、鉤形回転刃１３の取付け状態は実施例１および２とほぼ同様であるから省略する。上記各実施例と相違するところは、鉤形固定刃２５が鉤形回転刃１３と対向する位置に支軸２３ｂが設置され、この支軸２３ｂに鉤形固定刃２５を揺動可能に取付け、この鉤形固定刃２５にほぼ９０度位相してアーム３１を延ばしカウンターウェイト３２（スプリング、エアーシリンダに替えることができる）を設けて鉤形回転刃１３に向けて付勢している。なお、アームに設けているパットＰは図示しない振り下がり規制子に当接したときの衝撃を吸収するためのものである。
【実施例４】
【００１７】  図５は実施例４に係り、種々雑多の材料・形状の廃棄物Ｚに対応できるようにしたもので、鉤形回転刃１３の取付け状態は上記各実施例とほぼ同様で鉤形回転刃１３が通り抜けるスリット１５を空けた案内板１２ｊの形状が同図に示すように変化している。【００１８】  図において右上から左下に向けて設けている傾斜案内板１２ｅは、上側からほぼ２／３と下側１／３で二分され、上側傾斜案内板１２ｅ’の下方には支軸２３ｃに鉤形固定刃２５が揺動可能に支承され、支軸２３ｃから延びるアーム３１の揺動端に図示しないエアーシリンダまたはコイルスプリングを取付けて上方に（後述のピンチローラに向けて）付勢されるようになっている。【００１９】  下側１／３の傾斜案内板（下側傾斜案内板１２ｅ”）は、その上端で支軸２３ｄに揺動可能に支承されている。なお、下側傾斜案内板１２ｅ”はカウンターウェイト３２、あるいは図示しないトーションスプリングやエアーシリンダにより鉤形回転刃に向けて付勢されるようになっている。【００２０】  上側傾斜案内板１２ｅ’に対向する位置には、上端がフレームＦに設けられた支軸２３ｅに支承された揺動アーム３３が揺動可能に取付けられ、この揺動アーム３３には二個のピンチローラ３４が取付けられ、各ピンチローラ３４には従動スプロケット３５が同軸に取付けられ、上記支軸２３ｅには駆動スプロケット３６が取付けられ、上記駆動・従動スプロケット３５，３６にチェン３７が掛け渡されて上記ピンチローラ３４が駆動される。【００２１】  上記揺動アーム３３は支軸２３ｅの軸方向に複数設置され、各揺動アーム３３に亘ってカバー３８が被せられ、ピンチローラ３４の周縁はスリット１５を通り抜けて廃棄物に接して廃棄物を送り出すようになっている。
【実施例５】
【００２２】  図６乃至図９は実施例５に係り、鉤形回転刃１３とそれを取付けるドラム状枠体１４の部分は実施例３と同様であり、傾斜案内板１２ｆ，１２ｇを上側と下側に二分するところも、さらに下側傾斜案内板１２ｇをカウンターウェイト３２で付勢し、上側傾斜案内板１２ｆの下端に鉤形固定刃２５を設け、上側傾斜案内板１２ｆに対向してピンチローラ３４を有する揺動アーム３３を設け、この揺動アーム３３にカバー３８を設ける点も実施例４と同様であるから説明を省略し、相違するところのみ説明する。【００２３】  上側傾斜案内板１２ｆの下端にはピンチローラ３４ｂが鉤形固定刃２５の位置に合わせて設けられ、上記揺動アーム３３の下端にも鉤形固定刃２５が支軸３９を軸にして揺動可能に設けられ、後方に延びるアーム３１の端に取付けられたスプリング２６により鉤形固定刃２５が付勢されている。また、上記揺動アーム３３はエアーシリンダ４０により制御された状態で付勢されている。【００２４】  図７は鉤形回転刃１３を取付けたドラム状枠体１４を示す部分正面図で、軸受け４１に支軸２３が支承され、この攴軸２３にドラム状枠体１４が取付けられ、このドラム状枠体１４に支持台１７を介して鉤形回転刃１３が揺動可能に取付けられている。なお、支持台１７と鉤形回転刃１３との間にはトーションスプリング３０が介在して回転方向に付勢されている。【００２５】  図８はカバー３８を被せた揺動アーム３３の部分の部分正面図で、支軸２３ｈに揺動アーム３３が取付けられ、この揺動アーム３３に一定間隔をあけて二本の従動軸４２を設け、この従動軸４２にピンチローラ３４が取付けられ、支軸２３ｈには駆動スプロケット３６が従動軸４２には従動スプロケット３５が嵌められ、その間にチェン３７が掛け渡されてピンチローラ３４が回転するようになっている。【００２６】  上記揺動アーム３３にはカバー３８が被せられ、そのカバー３８にはスリット１５を空け、そのスリット１５を通り抜けてピンチローラ３４の周縁が突き出すようになっている。また、並列したカバー３８間には鉤形固定刃２５が通り抜けてスプリング２６により付勢されている。【００２７】  図９は上側傾斜案内板１２ｆの下端に設けたピンチローラ３４と鉤形固定刃２５の部分平面図で、支軸２３ｉにアーム３１を取付け、そのアーム３１に鉤形固定刃２５を取付け、上記アーム３１の後端にスプリング２６を取付けて上記鉤形固定刃２５を付勢し、上記鉤形固定刃２５の間にピンチローラ３４を配置している。【００２８】  図１０は実施例６に係り廃棄物をより強制的に送り込むために、図６に示すピンチローラを歯付きスラットコンベヤ４４に替えたもので他の部分は実施例５と同様である。【００２９】  上記実施例１乃至６において、処理対象廃棄物の状態によっては鉤形回転刃および鉤形固定刃の鉤形に曲がった内側を鋸刃状にすること効果的な場合があり、また、ドラム状枠体に巻き付き防止棒４５を亘設することにより破袋後の破片が巻きつくのを防止することができる。【００３０】  なお、上記各実施例における巻き付き防止棒は、その亘設により有効胴回りが大きくなり破袋された破片の巻き付きが防止され、万が一巻き付いたときでもカッタあるいは鎌などにより簡単に切除することができる。【００３１】  以上説明したように実施例１では、極めて簡単な機構で従来と同等以上の処理能力を有する破袋・除袋機を提供できるようになり、実施例２では、ビンのように割れ易い廃棄物包んだものの破・除袋がスムーズに行い得るようになり、実施例３では、破・除袋効果が一層向上し、実施例４および５では種々雑多の材料・形状の廃棄物を強制的に送り込み強力に破・除袋することが可能となる。
【産業上の利用可能性】
【００３２】  以上説明したようにこの発明によれば従来技術に較べてより小型で高性能の破袋・除袋機が得られるようになり、さらに、種々雑多の材料・形状の廃棄物を処理が可能となって産業上より高い利用効果が得られるようになった。
【図面の簡単な説明】
【００３３】
【図１】実施例１の部分切り欠き正面図
【図２】実施例２の縦断面図
【図３】図２のＡ−Ａ矢視図
【図４】実施例３の要部断面図
【図５】実施例４の要部断面図
【図６】実施例５の要部断面図
【図７】図６のドラム状枠体の部分図
【図８】図６のピンチローラの部分図
【図９】図６の傾斜案内板下端のピンチローラと鉤形固定刃の部分平面図
【図１０】実施例６の要部断面図
【符号の説明】
【００３４】１０  破袋・除袋機
１１  コンベヤ
１２  ホッパ
１３  鉤形回転刃
１４  ドラム状枠体
１５  スリット
１６  開口部（ホッパの）
１７  支持台
１８  軸
１９  規制子
２０  中心軸（ドラム形枠体）
２１  軸受け
２２  通路
２３  支軸
２４  ブラケット
２５  鉤形固定刃
２６  スプリング
２７  調整ネジ
２８  ストッパ
２９  回転軸
３０  トーションスプリング
３１  アーム
３２  カウンターウェイト
３３  揺動アーム
３４  ピンチローラ
３５  従動スプロケット
３６  駆動スプロケット
３７  チェン
３８  カバー
３９  支軸
４０  エアーシリンダ
４１  軸受け
４２  従動軸
４３  駆動軸
４４  スラットコンベヤ
４５  巻き付き防止棒
【図１】
2008043934.tif 000003
【図２】
2008043934.tif 000004
【図３】
2008043934.tif 000005
【図４】
2008043934.tif 000006
【図５】
2008043934.tif 000007
【図６】
2008043934.tif 000008
【図７】
2008043934.tif 000009
【図８】
2008043934.tif 000010
【図９】
2008043934.tif 000011
【図１０】
2008043934.tif 000012